(57)【要約】【課題】スピンドルモータのクランプ装置、特に、ディスクを堅固に支持できるスピンドルモータのクランプ装置を提供する。【解決手段】本体と、本体に結合されるストッパーと、ストッパーに結合されたウェイトと、ストッパーを弾性支持する弾性部材と、が含まれる。【選択図】図１
2008226426.tif 000002
【特許請求の範囲】
【請求項１】
本体と、
前記本体に結合される複数のストッパーと、
前記ストッパーに各々結合された複数のウェイトと、
前記ストッパーを各々弾性支持する複数の弾性部材と、
が含まれるスピンドルモータのクランプ装置。
【請求項２】
前記ウェイトは、前記ストッパーの材質より比重の大きな材質で形成される請求項１に記載のスピンドルモータのクランプ装置。
【請求項３】
前記ウェイトの垂直方向の重心は、ディスクの垂直方向の重心より高く形成される請求項１に記載のスピンドルモータのクランプ装置。
【請求項４】
前記弾性部材はスプリングである請求項１に記載のスピンドルモータのクランプ装置。
【請求項５】
前記ウェイトは、比重が１〜３０の範囲の材質で形成される請求項１に記載のスピンドルモータのクランプ装置。
【請求項６】
本体と、
前記本体に結合され、前記本体より比重の大きな物質が含まれた複数のストッパーと、
前記ストッパーを各々弾性支持する複数の弾性部材と、
が含まれるスピンドルモータのクランプ装置。
【請求項７】
前記ストッパーは、前記本体より比重の大きな物質のみで形成された請求項６に記載のスピンドルモータのクランプ装置。
【請求項８】
前記ストッパーは、前記本体より比重の大きな物質と共に射出された請求項６に記載のスピンドルモータのクランプ装置。
【請求項９】
前記ストッパーは、前記本体より比重の大きな物質がコーティングされた請求項６に記載のスピンドルモータのクランプ装置。
【請求項１０】
前記ストッパーの垂直方向の重心は、ディスクの垂直方向の重心より高く形成される請求項６に記載のスピンドルモータのクランプ装置。
【請求項１１】
前記本体より比重の大きな物質の比重が１〜３０の範囲である請求項６に記載のスピンドルモータのクランプ装置。
【請求項１２】
前記弾性部材はスプリングである請求項６に記載のスピンドルモータのクランプ装置。
【請求項１３】
回転軸に支持された本体と、
前記本体に結合されてディスクを支持し、比重が１〜３０である物質が含まれ前記回転軸の中心から同一円周上に配置された複数のストッパーと、
前記複数のストッパーを各々弾性支持する弾性部材と、
が含まれるスピンドルモータのクランプ装置。
【請求項１４】
前記ストッパーの垂直方向の重心は、前記ディスクの垂直方向の重心より高く形成される請求項１３に記載のスピンドルモータのクランプ装置。
【請求項１５】
前記ストッパーは、前記本体の比重より大きな比重を有したウェイトが結合された請求項１３に記載のスピンドルモータのクランプ装置。
【請求項１６】
前記ウェイトの垂直方向の重心は、前記ディスクの垂直方向の重心より高く形成される請求項１５に記載のスピンドルモータのクランプ装置。
【請求項１７】
前記回転軸の中心とディスクの中心とが一致するように、前記本体に結合された複数のクローが含まれる請求項１３に記載のスピンドルモータのクランプ装置。
【請求項１８】
前記ストッパーには金属が含まれる請求項１３に記載のスピンドルモータのクランプ装置。
【発明の詳細な説明】
【技術分野】
【０００１】
本発明は、スピンドルモータのクランプ装置に関する。
【背景技術】
【０００２】
スピンドルモータは、光ピックアップがディスクに記録されたデータを読んだりディスクにデータを記録したりできるようにディスクを回転させる機能を果たす。
【０００３】
スピンドルモータに結合されたクランプ装置は、ディスクが正確な地点に位置するようにディスクを支持し、スピンドルモータの回転によってディスクが回転するようにする。
【発明の開示】
【発明が解決しようとする課題】
【０００４】
本発明は、上述の問題点に鑑みてなされたもので、その目的は、スピンドルモータのクランプ装置を提供することにある。
【０００５】
また、本発明の他の目的は、ディスクを堅固に支持できるスピンドルモータのクランプ装置を提供することにある。
【課題を解決するための手段】
【０００６】
上記の目的を達成すべく、本発明によるスピンドルモータのクランプ装置は、本体と、前記本体に結合される複数のストッパーと、前記ストッパーに各々結合された複数のウェイトと、前記ストッパーを各々弾性支持する複数の弾性部材と、が含まれる。
【０００７】
上記の目的を達成すべく、本発明によるスピンドルモータのクランプ装置は、本体と、前記本体に結合され、前記本体より比重の大きな物質が含まれた複数のストッパーと、前記ストッパーを各々弾性支持する複数の弾性部材と、が含まれる。
【０００８】
上記の目的を達成すべく、本発明によるスピンドルモータのクランプ装置は、回転軸に支持されて回転される本体と、前記本体に結合されてディスクを支持し、比重が１〜３０である物質が含まれ前記回転軸の中心から同一円周上に配置された複数のストッパーと、前記複数のストッパーを各々弾性支持する弾性部材と、が含まれる。
【発明の効果】
【０００９】
本発明によるスピンドルモータのクランプ装置は、ディスクの内周面と接触してディスクの離脱を防止するストッパーにウェイトを付加することによって、スピンドルモータの回転時にストッパーに発生する遠心力が増大するので、ストッパーによってディスクが堅固に支持されて、所定以下の外力によってはディスクがクランプ装置から離脱しないという効果がある。
【００１０】
また、本発明によるスピンドルモータのクランプ装置は、ストッパーに比重の大きな物質が含まれるように形成することによって、ディスクを堅固に支持し得るという効果がある。
【発明を実施するための最良の形態】
【００１１】
以下、添付した図面を参照して、実施の形態によるスピンドルモータのクランプ装置を詳細に説明する。
【００１２】
図１は、実施の形態によるスピンドルモータの断面図である。
【００１３】
図１に示すように、ベース２００に起立設置された円筒形のベアリングハウジング１１０が設けられる。ベアリングハウジング１１０の内周面には、ベアリング１２０が圧入固定されており、ベアリング１２０には、回転軸１３０の下部側が支持されて回転可能に設置される。ベアリングハウジング１１０の上側に露出した回転軸１３０の外周面には、ブッシュ１４０が固定される。
【００１４】
ベアリングハウジング１１０の外周面には固定子１５０が固定され、ブッシュ１４０には回転子１６０が固定される。
【００１５】
固定子１５０は、ベアリングハウジング１１０の外周面に固定されたコア１５１とコア１５１に巻線されたコイル１５５とを有する。
【００１６】
回転子１６０は、ブッシュ１４０に上面の中央部側が固定され、側面は、固定子１５０を取り囲むローターヨーク１６１とローターヨーク１６１の内周面に固定されて固定子１５０と対向するマグネット１６５とを有する。
【００１７】
実施の形態において、ローターヨーク１６１がブッシュ１４０に結合されたことが例示されているが、ローターヨーク１６１は、回転軸１３０に直接結合されることもできる。
【００１８】
コイル１５５に電流が供給されると、コイル１５５から発生する電界とマグネット１６５から発生する磁界の作用によって、回転子１６０が回転しつつブッシュ１４０及び回転軸１３０を回転させる。
【００１９】
ローターヨーク１６１の上面には、ディスク５０が搭載され、ローターヨーク１６１とディスク５０との間には、ディスク５０の滑りを防止するための摩擦部材１９０を備えることができる。摩擦部材１９０は、フェルトが使用され得る。
【００２０】
一方、ブッシュ１４０には、ローターヨーク１６１に搭載されたディスク５０を支持するクランプ装置１７０が結合される。実施の形態では、クランプ装置１７０がブッシュ１４０に結合されて固定されたことが例示されているが、クランプ装置１７０は、回転軸１３０に直接結合されて固定され得る。
【００２１】
クランプ装置１７０には、本体１７１、ストッパー１７３及び弾性部材１７５が含まれる。
【００２２】
本体１７１は円板形状に設けられ、中央部はブッシュ１４０に固定され、外周面にはディスク５０の内周面が挿入される。
【００２３】
ストッパー１７３は、本体１７１の中心を基に、放射状に本体１７１の外周面に形成された空間部１７１ａに設置されるが、一端部側は本体１７１の外側に位置し、他端部側は本体１７１の内側に位置する。
【００２４】
弾性部材１７５は、本体１７１の内側に設置されてストッパー１７３を本体１７１の外側に弾性支持する。弾性部材１７５は、スプリングが使用され得る。
【００２５】
また、ディスク５０の中心を回転軸１３０の中心と一致させるためのクロー（Ｃｌａｗ、爪）（図示せず）をさらに含めることができる。
【００２６】
ストッパー１７３は、回転運動及び本体１７１の内外側を出入する形態で直線往復運動可能に設置される。かくして、ディスク５０を本体１７１の上面の上に置いた状態でディスク５０を下側へ押すと、ディスク５０の内周面下端のエッジ部によって、ストッパー１７３の一端部側の上面が押されて、ストッパー１７３の一端部側の下側に回転されると同時に、本体１７１の中央部側に押される。
【００２７】
その後、ディスク５０を下側にさらに押してディスク５０をローターヨーク１６１に搭載させれば、ストッパー１７３が弾性部材１７５によって最初の状態に復帰する。そうすると、下側へ行くほど本体１７１の中心部側に傾斜するように形成されたストッパー１７３の一端部側の外面に、ディスク５０の内周面上端のエッジ部がかかって、ディスク５０が本体１７１から離脱しないようになる。
【００２８】
クローは、互いに隣接するストッパー１７３とストッパー１７３との間の本体１７１の外周面に等間隔に複数形成され、ディスク５０が本体１７１の外周面に挿入されてローターヨーク１６１に搭載されたとき、ディスク５０の内周面と接触してディスク５０の中心が回転軸１３０の中心と一致するように支持する。
【００２９】
実施の形態によるスピンドルモータのクランプ装置は、スピンドルモータが停止した状態ではディスク５０をローターヨーク１６１の上面に容易に搭載でき、ローターヨーク１６１に搭載されたディスク５０を容易に取り出すことができる。
【００３０】
また、実施の形態によるスピンドルモータのクランプ装置は、スピンドルモータが駆動してディスク５０が回転する状態では、ディスクに作用する遠心力を増大させて、衝撃によってディスク５０が本体１７１から離脱することを防止する。
【００３１】
具体的に説明すると、ストッパー１７３には、ウェイト１８０が設けられる。すると、回転軸１３０の回転によってクランプ装置１７０が回転するとき、ストッパー１７３に発生する遠心力がウェイト１８０の質量だけ増大するので、ストッパー１７３によってディスク５０が堅固に支持されることになる。
【００３２】
例えば、ウェイト１８０の重さが０．５ｇであり、回転軸１３０の中心から６ｍｍ離隔した位置に配置され、５０００ｒｐｍで回転する場合、ウェイト１８０に作用する遠心力は８３．９ｇｆとなる。
【００３３】
すなわち、ウェイト１８０が設置されることにより、ディスク５０を挿入したり除去したりするのに、それほど大きな力を必要としないが、スピンドルモータが動作する場合には、より大きな力を有した遠心力によってディスク５０を堅固に支持する。
【００３４】
このとき、ウェイト１８０の材質は、ストッパー１７３の材質より大きな比重を有する。
【００３５】
ストッパー１７３が比重０．５〜０．９の範囲の材質からなる場合、ウェイト１８０は、比重１〜３０の範囲の材質からなることができる。
【００３６】
例えば、ウェイト１８０は、比重が１９．２６であるタングステンで形成されるか、比重が８．９６である銅で形成されることができる。また、ウェイト１８０は、セラミック、銀、アルミニウム、コバルト、セリウム、クロム、ガリウム、ゲルマニウム、ニッケル、チタンなどの物質が含まれて形成されることができる。
【００３７】
また、ウェイト１８０の垂直方向の重心を、ローターヨーク１６１に固着されたディスク５０の垂直方向の重心より高く位置することもできる。すると、ストッパー１７３によってディスク５０が下側に押される形態で支持されるので、さらに堅固に支持されることになる。
【００３８】
ウェイト１８０は、球、円筒形、角柱形等、様々な形状に形成され得、比重の高い金属または非金属で形成することができる。
【００３９】
そして、ウェイト１８０は、ストッパー１７３の他端部側から一端部側に向けて挿入される形態で設置されるものの、ストッパー１７３の一端部側に露出しないように設置されることができる。
【００４０】
また、ストッパー１７３とウェイト１８０をそれぞれ製造してウェイト１８０をストッパー１７３に結合することもでき、一体に射出して形成することもできる。
【００４１】
図２及び図３は、他の実施の形態によるクランプ装置を説明するための図である。
【００４２】
図２は、クランプ装置を上側から見た図であり、図３は、クランプ装置が結合されたスピンドルモータを部分拡大した図である。
【００４３】
他の実施の形態によるクランプ装置を説明するにおいて、図１の実施の形態で説明した内容と重複する部分は、可能なかぎり省略することにする。
【００４４】
図２及び図３に示すように、クランプ装置１７０には、本体１７１、ストッパー１７３、クロー１７７及び弾性部材１７５が含まれる。
【００４５】
本体１７１は円板形状に設けられ、中央部はブッシュ１４０に固定され、外周面にはディスク５０の内周面が挿入される。
【００４６】
ストッパー１７３は、本体１７１の中心を基に同一円周上に本体１７１に結合されるが、実施の形態では、３個のストッパー１７３がそれぞれ１２０度の間隔に配置されたことが例示されている。
【００４７】
弾性部材１７５は、本体１７１の内側に設置されてストッパー１７３を本体１７１の外側に弾性支持する。図面では、弾性部材１７５がスプリングであることが例示されている。
【００４８】
クロー１７７は、ディスク５０の中心を回転軸１３０の中心と一致させるためのものであって、本体１７１の中心を基に同一円周上で本体１７１に結合される。実施の形態では、３個のクロー１７７が各々１２０度の間隔に配置されたことが例示されている。
【００４９】
実施の形態において、ストッパー１７３は、本体１７１をなす物質より比重が大きな物質を含んで形成される。
【００５０】
例えば、本体１７１は、比重が０．５〜０．９の範囲のプラスチックを使用することができ、ストッパー１７３は、比重が１９．２６であるタングステンを含むか、比重が８．９６である銅を含むことができる。また、ストッパー１７３は、セラミック、銀、アルミニウム、コバルト、セリウム、クロム、ガリウム、ゲルマニウム、ニッケル、チタンなどの物質を含んで形成することができる。
【００５１】
すなわち、ストッパー１７３は、本体１７１と同じ物質から形成されるものの、本体１７１をなす物質より比重の大きな物質が粉末形態で共に含まれて射出されるか、または外面にコーティングされた形態で結合され得る。
【００５２】
また、実施の形態において、ストッパー１７３は、本体１７１をなす物質より比重の大きな物質から形成されることができる。
【００５３】
例えば、本体１７１が、比重が０．５〜０．９の範囲のプラスチックで形成される場合、ストッパー１７３は、プラスチックより比重の大きな金属または非金属物質から形成されることができる。
【００５４】
また、実施の形態において、ストッパー１７３、本体１７１及びクロー１７７は、比重が１〜３０の範囲の物質を含んで形成されることができる。
【００５５】
ストッパー１７３を、比重が１より大きな物質を含んで形成することによって、比重が０．５〜０．９の範囲のプラスチックを使用する場合に比べて、ディスク５０が堅固に支持され得る。
【００５６】
また、ストッパー１７３の垂直方向の重心をディスク５０の垂直方向の重心より高い位置に形成することにより、ディスク５０をより堅固に支持し得る。
【００５７】
以上で説明したように、実施の形態によるスピンドルモータのクランプ装置は、ディスクの内周面と接触してディスクの離脱を防止するストッパーにウェイトを付加する。すると、スピンドルモータの回転時にストッパーに発生する遠心力が増大するので、ストッパーによってディスクが堅固に支持されて、所定以下の外力によってはディスクがクランプ装置から離脱しない。
【００５８】
また、実施の形態によるスピンドルモータのクランプ装置は、ストッパーを比重の大きな物質を含むようにして形成することによって、ディスクを堅固に支持し得る。
【００５９】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６０】
【図１】本発明の実施の形態によるスピンドルモータの断面図である。
【図２】本発明の他の実施の形態によるクランプ装置を説明するための図である。
【図３】本発明の他の実施の形態によるクランプ装置を説明するための図である。
【符号の説明】
【００６１】
５０      ディスク
１１０      ベアリングハウジング
１２０      ベアリング
１３０      回転軸
１４０      ブッシュ
１５０      固定子
１５１      コア
１５５      コイル
１６０      回転子
１６１      ローターヨーク
１６５      マグネット
１７３      ストッパー
１８０      ウェイト
２００      ベース
【図１】
2008226426.tif 000003
【図２】
2008226426.tif 000004
【図３】
2008226426.tif 000005